(57)【要約】  チューブの種類および動作状態に関連する特徴の視覚表示を提供する照明医療用チューブセットが提供される。照明チューブセットシステムは、光学素子、流体導管、電源を含む。医療用チューブ検出および管理用システムは、少なくとも１つの流体チャネルが通る注入マニホルドハウジングを含む。少なくとも１つの流体入力ポートを注入マニホルドハウジングに設けることができ、少なくとも１つの流体入力ポートは、（Ｉ）照明医療用チューブと流体接続し、（ＩＩ）注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光センサを注入マニホルドハウジングに設けることができ、少なくとも１つの光センサは、少なくとも１つの流体入力ポートに接続される照明医療用チューブからの光を受け取るように構成することができる。流体出力ポートは流体出力チューブと流体接続するように構成することができる。
2014533192.tif 000002
【特許請求の範囲】
【請求項１】
医療用流体を搬送する流体導管と、
前記流体導管に接続され、照明を提供する光学素子と、
前記光学素子に電力を供給する電源と、
を備える医療用チューブセット。
【請求項２】
前記光学素子が光ファイバコーティングと光生成素子とを備える、請求項１に記載の医療用チューブセット。
【請求項３】
前記光学素子が発光ダイオードを備え、前記電源が発光ダイオードに電力を供給する電圧である、請求項１に記載の医療用チューブセット。
【請求項４】
前記光学素子がエレクトロルミネセントワイヤを備え、前記電源が前記エレクトロルミネセントワイヤに電力を供給する交流電流である、請求項１に記載の医療用チューブセット。
【請求項５】
前記光学素子が前記流体導管に配置される、請求項１に記載の医療用チューブセット。
【請求項６】
二重内腔チューブをさらに備え、前記流体導管と光学素子が別々の導管に配置される、請求項１に記載の医療用チューブセット。
【請求項７】
前記二重内腔チューブが外側内腔と内側内腔とを有する入れ子式内腔セットをさらに備える、請求項６に記載の医療用チューブセット。
【請求項８】
前記光学素子が着色光を表示する、請求項１に記載の医療用チューブセット。
【請求項９】
医療用チューブシステムに関連する少なくとも１つの特徴を感知する少なくとも１つのセンサをさらに備える、請求項１に記載の医療用チューブセット。
【請求項１０】
前記少なくとも１つのセンサが、圧力センサ、閉塞センサ、温度センサ、流体流センサ、液体濃度センサ、気泡センサ、塩分センサ、ｐＨセンサ、溶存酸素センサ、伝導度センサ、または電解質センサを備える、請求項９に記載の医療用チューブセット。
【請求項１１】
装置インタフェースに信号を送信する集積回路をさらに備える、請求項１０に記載の医療用チューブセット。
【請求項１２】
前記少なくとも１つのセンサから信号を受信するマイクロコントローラをさらに備える、請求項９に記載の医療用チューブセット。
【請求項１３】
前記マイクロコントローラをプログラミングするインタフェースをさらに備える、請求項１２に記載の医療用チューブセット。
【請求項１４】
前記マイクロコントローラをプログラミングする前記インタフェースが標準化プロファイルをプログラミングする、請求項１３に記載の医療用チューブセット。
【請求項１５】
前記マイクロコントローラが前記医療用チューブシステムに関連する少なくとも１つの動作モードをさらに管理する、請求項１２に記載の医療用チューブセット。
【請求項１６】
前記医療用チューブセットが医療装置に動作可能に接続され、前記インタフェースが前記医療装置を介して動作可能である、請求項１２に記載の医療用チューブセット。
【請求項１７】
前記マイクロコントローラが前記医療装置に収容される、請求項１６に記載の医療用チューブセット。
【請求項１８】
医療用チューブセットの動作方法であって、
第１の端部に医療装置の医療用チューブセットを、第２の端部に患者を設置することと、
前記医療用チューブセットの少なくとも１つの動作パラメータを設定することと、
前記医療用チューブセットの少なくとも１つの特徴を感知することと、
前記少なくとも１つの感知された特徴を前記少なくとも１つの動作パラメータと照合することと、
少なくとも前記少なくとも１つの感知された特徴と前記少なくとも１つの動作パラメータとの比較に基づき、前記医療用チューブセットを照らすことと、
を備える方法。
【請求項１９】
前記少なくとも１つの動作パラメータを設定することが、照明色を設定することをさらに備える、請求項１８に記載の方法。
【請求項２０】
前記少なくとも１つの動作パラメータを設定することが、圧力上限と圧力下限とを設定することをさらに備える、請求項１８に記載の方法。
【請求項２１】
前記チューブセットを照らすことが、前記少なくとも１つの感知された特徴が前記少なくとも１つの動作パラメータによって設定される前記少なくとも１つの特徴の動作範囲外にあるとき、前記チューブセットを間欠的に照らすことによって点滅作用を生成する、請求項１８に記載の方法。
【請求項２２】
前記チューブセットを照らすことが、前記チューブセットを継続的に照らすことをさらに備える請求項１８の方法。
【請求項２３】
少なくとも１つの動作パラメータを設定することが、前記医療装置の前記医療用チューブセットの設置時に自動的に実行される、請求項１８に記載の方法。
【請求項２４】
前記チューブセットを照らすことが、光ファイバコーティングで被覆された壁を有する導管に収束ビーム光を当てることをさらに備える、請求項１８に記載の方法。
【請求項２５】
前記チューブセットを照らすことが、発光ダイオードに電圧を印加することをさらに備える、請求項１８に記載の方法。
【請求項２６】
前記チューブセットを照らすことが、エレクトロルミネセントワイヤに交流を印加することをさらに備える、請求項１８に記載の方法。
【請求項２７】
医療用流体を搬送する流体導管と、前記流体導管に接続され、照明を提供する光学素子と、前記光学素子に電力を供給する電源と、を備える医療用チューブセットの動作方法であって、
第１の端部に医療装置の医療用チューブセットを、第２の端部に患者を設置することと、
電力源に前記電源を設けることと、
前記電力源を前記光学素子に印加することと、
前記流体導管を前記光学素子で照らすことと、
を備える方法。
【請求項２８】
医療用チューブ検出および管理用システムであって、
少なくとも１つの流体チャネルが通る注入マニホルドハウジングと、
前記注入マニホルドハウジング内の少なくとも１つの流体入力ポートであって、
（Ｉ）照明医療用チューブと流体接続し、
（ＩＩ）前記注入マニホルドハウジングを通じて前記少なくとも１つの流体チャネルと流体連通する
少なくとも１つの流体入力ポートと、
前記注入マニホルドハウジング内の流体出力ポートであって、前記注入マニホルドハウジングを通じて前記少なくとも１つの流体チャネルと流体連通する流体出力ポートと、
前記注入マニホルドハウジング内の少なくとも１つの光センサと、
を備え、
（Ｉ）前記少なくとも１つの光センサが、前記少なくとも１つの流体入力ポートに接続される前記照明医療用チューブから光を受け取り、（ＩＩ）前記流体出力ポートが流体出力チューブと流体接続する
システム。
【請求項２９】
前記少なくとも１つの光センサが、前記照明医療用チューブから受け取った光に応答して出力信号を生成する、請求項２８に記載の医療用チューブ検出および管理用システム。
【請求項３０】
前記照明医療用チューブに流体接続される少なくとも１つの注入ポンプをさらに備え、前記少なくとも１つの注入ポンプが、前記照明医療用チューブから前記注入マニホルドハウジングの外部に配置される前記少なくとも１つの光センサまで伝達される光出力を生成し、前記少なくとも１つの注入ポンプからの前記光出力が前記少なくとも１つのポンプの少なくとも１つの特徴を示す、請求項２９に記載の医療用チューブ検出および管理用システム。
【請求項３１】
前記少なくとも１つの注入ポンプの前記少なくとも１つの特徴が、患者に送達される薬剤の特定を含む、請求項３０に記載の医療用チューブ検出および管理用システム。
【請求項３２】
医療用チューブ検出および管理用システムであって、
少なくとも１つの流体チャネルが通る注入マニホルドハウジングと、
前記注入マニホルドハウジング内の少なくとも１つの流体入力ポートであって、
（Ｉ）照明医療用チューブと流体接続し、
（ＩＩ）前記注入マニホルドハウジングを通じて前記少なくとも１つの流体チャネルと流体連通する
少なくとも１つの流体入力ポートと、
前記注入マニホルドハウジング内の流体出力ポートであって、前記注入マニホルドハウジングを通じて前記少なくとも１つの流体チャネルと流体連通する流体出力ポートと、
前記注入マニホルドハウジング内の少なくとも１つの光パイプであって、第１の端部および第２の端部を有し、前記第１の端部が前記少なくとも１つの流体入力ポートに接続される少なくとも１つの光パイプと、
前記注入マニホルドハウジング内の少なくとも１つのレンズであって、
（Ｉ）前記少なくとも１つの光パイプの前記第２の端部に光学的に接続され、
（ＩＩ）前記少なくとも１つの光パイプからの光を前記注入マニホルドハウジングから外方向に伝送する少なくとも１つのレンズと、
前記注入マニホルドハウジングの外側に配置される少なくとも１つの光センサと、
を備え、
（Ｉ）前記少なくとも１つの光センサが前記少なくとも１つのレンズからの光を受け取り、（ＩＩ）前記流体出力ポートが流体出力チューブと流体接続する
システム。
【請求項３３】
前記少なくとも１つの光センサが、前記照明医療用チューブから受け取った光に応答して出力信号を生成する、請求項３２に記載の医療用チューブ検出および管理用システム。
【請求項３４】
前記照明医療用チューブに流体接続される少なくとも１つの注入ポンプをさらに備え、前記少なくとも１つの注入ポンプが、前記照明医療用チューブから前記注入マニホルドハウジングの外部に配置される前記少なくとも１つの光センサまで伝達される光出力を生成し、前記少なくとも１つの注入ポンプからの前記光出力が前記少なくとも１つのポンプの少なくとも１つの特徴を示す、請求項３３に記載の医療用チューブ検出および管理用システム。
【請求項３５】
前記少なくとも１つの注入ポンプの前記少なくとも１つの特徴が、患者に送達される薬剤の特定を含む、請求項３４に記載の医療用チューブ検出および管理用システム。
【請求項３６】
前記照明医療用チューブによって、前記注入マニホルドハウジングの前記少なくとも１つの流体入力ポートのそれぞれに接続される複数の注入ポンプをそれぞれ特定する、請求項３０に記載の医療用チューブ検出および管理用システム。
【請求項３７】
前記照明医療用チューブによって、前記注入マニホルドハウジングの前記少なくとも１つの流体入力ポートのそれぞれに接続される複数の注入ポンプをそれぞれ特定する、請求項３４に記載の医療用チューブ検出および管理用システム。
【請求項３８】
医療用チューブ検出および管理の方法であって、
（ｉ）少なくとも１つの流体チャネルが通る注入マニホルドハウジングと、（ｉｉ）前記注入マニホルドハウジング内の少なくとも１つの流体入力ポートであって、（ａ）照明医療用チューブと流体接続し、（ｂ）前記注入マニホルドハウジングを通って前記少なくとも１つの流体チャネルと流体連通する少なくとも１つの流体入力ポートと、（ｉｉｉ）前記注入マニホルドハウジング内の流体出力ポートであって、前記注入マニホルドハウジングを通じて前記少なくとも１つの流体チャネルと流体連通する流体出力ポートと、（ｉｖ）前記注入マニホルドハウジング内の少なくとも１つの光センサと、を含み、（Ｉ）前記少なくとも１つの光センサが前記少なくとも１つの流体入力ポートと接続される前記照明医療用チューブからの光を受け取り、それに応答して出力信号を生成し、（ＩＩ）前記流体出力ポートが流体出力チューブと流体接続する、医療用チューブ検出および管理用システムを設けるステップと、
少なくとも１つの注入ポンプを前記照明医療用チューブに流体接続するステップであって、前記少なくとも１つの注入ポンプが前記照明医療用チューブから前記注入マニホルドハウジング内の前記少なくとも１つの光センサまで伝達される光出力を生成し、（ｉ）前記少なくとも１つの注入ポンプからの前記光出力が前記少なくとも１つのポンプの少なくとも１つの特徴を示し、（ｉｉ）前記少なくとも１つの注入ポンプの前記少なくとも１つの特徴が前記流体出力チューブから患者に送達される薬剤の特定を含むステップと、
を備える方法。
【請求項３９】
医療用チューブ検出および管理の方法であって、
（ｉ）少なくとも１つの流体チャネルが通る注入マニホルドハウジングと、（ｉｉ）前記注入マニホルドハウジング内の少なくとも１つの流体入力ポートであって、（ａ）照明医療用チューブと流体接続し、（ｂ）前記注入マニホルドハウジングを通って前記少なくとも１つの流体チャネルと流体連通する少なくとも１つの流体入力ポートと、（ｉｉｉ）前記注入マニホルドハウジング内の流体出力ポートであって、前記注入マニホルドハウジングを通じて前記少なくとも１つの流体チャネルと流体連通する流体出力ポートと、（ｉｖ）前記注入マニホルドハウジング内の少なくとも１つの光パイプであって、第１の端部および第２の端部を有し、前記第１の端部が前記少なくとも１つの流体入力ポートと光学的に接続される少なくとも１つの光パイプと、（ｖ）前記注入マニホルドハウジング内の少なくとも１つのレンズであって、（ａ）前記少なくとも１つの光パイプの前記第２の端部に光学的に接続され、（ｂ）前記少なくとも１つの光パイプからの光を前記注入マニホルドハウジングから外方向に伝送する少なくとも１つのレンズと、（ｖｉ）前記注入マニホルドハウジングの外部に配置される少なくとも１つの光センサと、を含み、（Ｉ）前記少なくとも１つの光センサが前記少なくとも１つの流体入力ポートと接続される前記照明医療用チューブからの光を受け取り、それに応答して出力信号を生成し、（ＩＩ）前記流体出力ポートが流体出力チューブと流体接続する、医療用チューブ検出および管理用システムを設けるステップと、
少なくとも１つの注入ポンプを前記照明医療用チューブに流体接続するステップであって、前記少なくとも１つの注入ポンプが前記照明医療用チューブから前記注入マニホルドハウジング内の前記少なくとも１つの光センサまで伝達される光出力を生成し、（ｉ）前記少なくとも１つの注入ポンプからの前記光出力が前記少なくとも１つのポンプの少なくとも１つの特徴を示し、（ｉｉ）前記少なくとも１つの注入ポンプの前記少なくとも１つの特徴が前記流体出力チューブから患者に送達される薬剤の特定を含むステップと、
を備える方法。
【発明の詳細な説明】
【技術分野】
【０００１】
本開示は概して医療用チューブに関する。特に、本開示は照明医療用チューブと、医療用チューブを管理および検出するシステムとに関する。
【背景技術】
【０００２】
救命救急環境では、単独の患者が、複数の注入ポンプまたはその他のチューブベースの送達または除去システムに同時に接続される可能性がある。このため、多数の医療用チューブは患者の近傍や周囲に配置され、医療専門家はどのチューブがどの注入ポンプ、送達システム、または除去システムに関連しているのかを知ることが難しい。さらに、注入ルート、薬剤相互作用、ラインが流体を患者の身体に送り込んでいるのか、あるいは流体を患者の身体から外に運んでいるのかなどのパラメータは、患者の治療にとって重要である。誤った薬物が誤ったチューブセットに置かれたら、その結果は致命的な物になるおそれがある。よって、チューブラインの組織化と特定は極めて重要である。
【発明の概要】
【発明が解決しようとする課題】
【０００３】
目下、チューブラインの特定は、医療専門家が手で送達または除去装置からチューブの全範囲を通じて患者まで、あるいはその逆でチューブをたどることによって手動で行われる。注入システムに関しては、医療業界は、チューブの注入ルートや種類などの医療用チューブの特徴を示す標準化色およびパターンを作成している。よって、さらに新しいチューブの特定方法は、当初の実施態様や上述の追跡後にラインにラベルを貼付することによるラベルの手動ラベリングを含む。場合によっては、チューブの単独ラインに複数のラベルが貼付される可能性がある。しかしながら、上述の人間が実行する手法は時間がかかるだけでなく、人為ミスや、粘着ラベルおよびその他の基本的な視覚特定スキームの頑丈性または信頼性の欠如のためにラベリングや特定での過ちを招きやすい。
【０００４】
また、多数のラインに正確にラベルが貼付されたとしても、患者のいる部屋が十分に明るくないときラベルを読み取り評価するのが未だ困難である。たとえば、夜間に患者が眠っているときなど、医療専門家が１つまたはそれ以上のラインの接続または状態を確認するために患者の暗くした部屋に入る際、頭上の室内光を点灯する、あるいはラインとレベルの位置を示す点滅光などの追加の光を備える必要がある場合が多い。患者周囲での室内光の点灯や点滅光の使用は、患者の睡眠を妨げることがある。また、特に専門家が両手を患者の治療に使う必要がある場合、点滅光の使用は厄介である。さらに、薬剤の中には特定の光の波長に敏感なものがあり、医療ライン周囲で使用可能な光の種類が制限される。
【０００５】
また、既存の医療用チューブは動作状態を表示しない、あるいはチューブまたは注入に問題が生じたときに、担当の医療専門家に警告しない。注入装置と装着されたチューブの動作状態を確認するため、医療専門家はまず装置を検査し、チューブとのインタフェースを検査し、次にチューブに沿って追跡し適切な流れを評価しなければならない。同様に、医療専門家はチューブまたは注入に問題があるときに警告を受けない場合が多い。障害や閉塞がないかチューブの全長を視覚的に検査しなければならない。よって、既存の医療用チューブを特定する問題に加えて、動作と問題の状態を特定するという問題も存在する。
【０００６】
さらに、医療用チューブ検出および管理は医師にとってこれまで問題であった。病院では、たとえば、患者の治療領域−特に患者が集中治療を受ける領域や部屋−には多数のチューブ、コア、ケーブルが存在し得る。したがって、対応するチューブセットおよび薬剤注入ルートと共に、医療用および注入チューブを特定し組織化する比較的簡易で効率的な方法が望まれる。このような情報は、たとえば患者に投与される薬剤の許容可能な適合度と所望の相互作用を判定する際に極めて重要である。
【０００７】
したがって、医療用チューブを特定する自動的で安全かつ効率的な方法、ならびにチューブ内の医療液体の流れに関する動作状態または問題状態を特定することが必要とされる。また、医療用チューブ検出および管理のシステムおよび方法も必要とされる。
【課題を解決するための手段】
【０００８】
実施形態は、個々の医療ラインが照明または色スキームに基づき特定可能である照明医療用チューブに関する。本開示は、新規な発明性を備える医療用チューブ検出および管理用のシステムおよび方法も説明する。
【０００９】
一実施形態では、医療用チューブセットは、医療用流体を搬送する流体導管と、流体導管に接続され、照明を提供する光学素子と、光学素子に電力を供給する電源とを備える。
一実施形態では、医療用チューブセットの動作方法は、第１の端部に医療装置の医療用チューブセットを、第２の端部に患者を設置することと、医療用チューブセットの少なくとも１つの動作パラメータを設定することと、医療用チューブセットの少なくとも１つの特徴を感知することと、少なくとも１つの感知された特徴を少なくとも１つの動作パラメータと照合することと、少なくとも１つの感知された特徴と少なくとも１つの動作パラメータとの照合に少なくとも基づき医療用チューブセットを照らすことと、を備える。
【００１０】
医療用流体を搬送する流体導管と、流体導管に接続され、照明を提供する光学素子と、光学素子に電力を供給する電源とを備える医療用チューブセットの動作方法の実施形態では、第１の端部に医療装置の医療用チューブセットを、第２の端部に患者を設置することと、電力源に電源を設けることと、電力源を光学素子に印加することと、流体導管を光学素子で照らすことと、を備える。
【００１１】
本発明の主題は、医療用チューブが救命救急環境で特定される方法を向上する。チューブは視覚表示を提供するため、注入装置から患者までの全範囲を通じたチューブの手動による追跡を必要としない。また、チューブの注入ルートや種類などのチューブの特徴を特定するため、チューブに貼付されるラベルやその他の基本的な視覚特定スキームをもはや必要としないこれらの特徴は照明部品によって示される。同様に、チューブが照らされるため、チューブは暗くした部屋でも特定でき、個々のチューブまたはラベルを特定するための補足的な光を必要としない。さらに、圧力センサ、閉塞センサ、流体流センサ、温度センサ、液体濃度センサ、気泡センサ、塩分センサ、ｐＨセンサ、溶存酸素センサ、伝導度センサ、電解質センサなどのチューブに一体化されるセンサは、たとえば、照明部品による視覚表示として記憶され、その後報告することができるチューブおよび流体に関するデータを提供する。このように、救急状況を視覚表示によって瞬時に表すことができる。製造上の利点も実施形態に存在する。本発明の主題のチューブを作成するのに、既存の医療用チューブの製造をわずかに変更または補足するだけでよい。同様に、実施形態では、既存の医療装置および医療用チューブは、元々そのために設計されたものではない装置およびチューブでも本発明の主題を利用できるように改造することができる。別の利点として、実施形態の各種部品は再利用できるため、医療従事者にとってのコストが低減される。
【００１２】
最も一般的な閉塞の原因は、チューブに以前装着されたまま、病院スタッフに忘れられてしまった医療用チューブの締め金である。したがって、利点では、締め金が実施形態に配置されたとき、光路を遮断、変更、制限、またはそれ以外の方法で変更することによって通過する照明にとっての刺激の役割も果たす。その結果、実施形態では、通過する照明が忘れた締め金の部分でほぼ切断されることによって強調される。そのため、実施形態は、忘れた締め金の容易に認知可能な視覚表示を提供することができる。
【００１３】
一実施形態では、医療用チューブ検出および管理用システムは、少なくとも１つの流体チャネルが通る注入マニホルドハウジングを含むことができる。少なくとも１つの流体入力ポートを注入マニホルドハウジングに設けることができ、少なくとも１つの流体入力ポートは照明医療用チューブと流体接続し、注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光センサを注入マニホルドハウジングに設けることができ、少なくとも１つの光センサは、少なくとも１つの流体入力ポートに接続される照明医療用チューブからの光を受け取るように構成することができる。流体出力ポートは、流体出力チューブと流体接続するように構成することができる。
【００１４】
別の実施形態では、医療用チューブ検出および管理用システムは、少なくとも１つの流体チャネルが通る注入マニホルドハウジングを含むことができる。少なくとも１つの流体入力ポートを注入マニホルドハウジングに設けることができ、少なくとも１つの流体入力ポートは照明医療用チューブと流体接続し、注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光センサを注入マニホルドハウジングに設けることができ、少なくとも１つの光センサは、少なくとも１つの流体入力ポートに接続される照明医療用チューブからの光を受け取るように構成することができる。流体出力ポートは、流体出力チューブと流体接続するように構成することができる。少なくとも１つの光センサは、照明医療用チューブから受け取った光に応答して出力信号を生成することができる。
【００１５】
別の実施形態では、医療用チューブ検出および管理用システムは、少なくとも１つの流体チャネルが通る注入マニホルドハウジングを含むことができる。少なくとも１つの流体入力ポートを注入マニホルドハウジングに設けることができ、少なくとも１つの流体入力ポートは照明医療用チューブと流体接続し、注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光センサを注入マニホルドハウジングに設けることができ、少なくとも１つの光センサは、少なくとも１つの流体入力ポートに接続される照明医療用チューブからの光を受け取るように構成することができる。流体出力ポートは、流体出力チューブと流体接続するように構成することができる。少なくとも１つの光センサは、照明医療用チューブから受け取った光に応答して出力信号を生成することができる。少なくとも１つの注入ポンプを照明医療用チューブと流体接続することができる。少なくとも１つの注入ポンプは、照明医療用チューブから注入マニホルドハウジング内の少なくとも１つの光センサまで伝達される光出力を生成するように構成することができ、少なくとも１つの注入ポンプからの光出力は少なくとも１つのポンプの少なくとも１つの特徴を示す。
【００１６】
別の実施形態では、医療用チューブ検出および管理用システムは、少なくとも１つの流体チャネルが通る注入マニホルドハウジングを含むことができる。少なくとも１つの流体入力ポートを注入マニホルドハウジングに設けることができ、少なくとも１つの流体入力ポートは照明医療用チューブと流体接続し、注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光センサを注入マニホルドハウジングに設けることができ、少なくとも１つの光センサは、少なくとも１つの流体入力ポートに接続される照明医療用チューブからの光を受け取るように構成することができる。流体出力ポートは、流体出力チューブと流体接続するように構成することができる。少なくとも１つの光センサは、照明医療用チューブから受け取った光に応答して出力信号を生成することができる。少なくとも１つの注入ポンプを照明医療用チューブと流体接続することができる。少なくとも１つの注入ポンプは、照明医療用チューブから注入マニホルドハウジング内の少なくとも１つの光センサまで伝達される光出力を生成するように構成することができ、少なくとも１つの注入ポンプからの光出力は少なくとも１つのポンプの少なくとも１つの特徴を示す。少なくとも１つのポンプの少なくとも１つの特徴は、患者に送達される薬剤の特定を含むことができる。
【００１７】
別の実施形態では、医療用チューブ検出および管理用システムは、少なくとも１つの流体チャネルが通る注入マニホルドハウジングを含むことができる。少なくとも１つの流体入力ポートを注入マニホルドハウジングに設けることができ、少なくとも１つの流体入力ポートは照明医療用チューブと流体接続し、注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光パイプを注入マニホルドハウジングに設けることができる。少なくとも１つの光パイプは第１の端部と第２の端部を有することができ、第１の端部は少なくとも１つの流体入力ポートに光学的に接続することができる。少なくとも１つのレンズを注入マニホルドハウジングに設けることができる。少なくとも１つのレンズは少なくとも１つの光パイプの第２の端部に光学的に接続することができ、注入マニホルドハウジングから外方に少なくとも１つの光パイプからの光を伝送するように構成することができる。少なくとも１つの光センサを注入マニホルドハウジングの外部に配置させることができる。少なくとも１つの光センサは少なくとも１つのレンズからの光を受け取るように構成することができる。流体出力ポートは流体出力チューブと流体接続するように構成することができる。
【００１８】
別の実施形態では、医療用チューブ検出および管理用システムは、少なくとも１つの流体チャネルが通る注入マニホルドハウジングを含むことができる。少なくとも１つの流体入力ポートを注入マニホルドハウジングに設けることができ、少なくとも１つの流体入力ポートは照明医療用チューブと流体接続し、注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光パイプを注入マニホルドハウジングに設けることができる。少なくとも１つの光パイプは第１の端部と第２の端部を有することができ、第１の端部は少なくとも１つの流体入力ポートに光学的に接続することができる。少なくとも１つのレンズを注入マニホルドハウジングに設けることができる。少なくとも１つのレンズは少なくとも１つの光パイプの第２の端部に光学的に接続することができ、注入マニホルドハウジングから外方に少なくとも１つの光パイプからの光を伝送するように構成することができる。少なくとも１つの光センサを注入マニホルドハウジングの外部に配置させることができる。少なくとも１つの光センサは少なくとも１つのレンズから光を受け取るように構成することができる。流体出力ポートは、流体出力チューブと流体接続するように構成することができる。少なくとも１つの光センサは、照明医療用チューブから受け取った光に応答して出力信号を生成することができる。
【００１９】
別の実施形態では、医療用チューブ検出および管理用システムは、少なくとも１つの流体チャネルが通る注入マニホルドハウジングを含むことができる。少なくとも１つの流体入力ポートを注入マニホルドハウジングに設けることができ、少なくとも１つの流体入力ポートは照明医療用チューブと流体接続し、注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光パイプを注入マニホルドハウジングに設けることができる。少なくとも１つの光パイプは第１の端部と第２の端部を有することができ、第１の端部は少なくとも１つの流体入力ポートに光学的に接続することができる。少なくとも１つのレンズを注入マニホルドハウジングに設けることができる。少なくとも１つのレンズは少なくとも１つの光パイプの第２の端部に光学的に接続することができ、注入マニホルドハウジングから外方に少なくとも１つの光パイプからの光を伝送するように構成することができる。少なくとも１つの光センサを注入マニホルドハウジングの外部に配置させることができる。少なくとも１つの光センサは少なくとも１つのレンズからの光を受け取り、流体出力ポートは、流体出力チューブと流体接続するように構成することができる。少なくとも１つの光センサは、照明医療用チューブから受け取った光に応答して出力信号を生成することができる。少なくとも１つの注入ポンプを照明医療用チューブに流体接続することができる。少なくとも１つの注入ポンプは、照明医療用チューブから注入マニホルドハウジングの外部に配置される少なくとも１つの光センサまで伝達される光出力を生成するように構成することができる。少なくとも１つの注入ポンプからの光出力は、少なくとも１つのポンプの少なくとも１つの特徴を示すことができる。
【００２０】
別の実施形態では、医療用チューブ検出および管理用システムは、少なくとも１つの流体チャネルが通る注入マニホルドハウジングを含むことができる。少なくとも１つの流体入力ポートを注入マニホルドハウジングに設けることができ、少なくとも１つの流体入力ポートは照明医療用チューブと流体接続し、注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光パイプを注入マニホルドハウジングに設けることができる。少なくとも１つの光パイプは第１の端部と第２の端部を有することができ、第１の端部は少なくとも１つの流体入力ポートに光学的に接続することができる。少なくとも１つのレンズを注入マニホルドハウジングに設けることができる。少なくとも１つのレンズは少なくとも１つの光パイプの第２の端部に光学的に接続することができ、注入マニホルドハウジングから外方に少なくとも１つの光パイプからの光を伝送するように構成することができる。少なくとも１つの光センサを注入マニホルドハウジングの外部に配置させることができる。少なくとも１つの光センサは少なくとも１つのレンズからの光を受け取り、流体出力ポートは、流体出力チューブと流体接続するように構成することができる。少なくとも１つの光センサは、照明医療用チューブから受け取った光に応答して出力信号を生成することができる。少なくとも１つの注入ポンプを照明医療用チューブと流体接続することができる。少なくとも１つの注入ポンプは、照明医療用チューブから注入マニホルドハウジングの外部に配置される少なくとも１つの光センサまで伝達される光出力を生成するように構成することができる。少なくとも１つの注入ポンプからの光出力は、少なくとも１つのポンプの少なくとも１つの特徴を示すことができる。少なくとも１つのポンプの少なくとも１つの特徴は、患者に送達される薬剤の特定を含むことができる。
【００２１】
別の実施形態では、医療用チューブ検出および管理用システムは、少なくとも１つの流体チャネルが通る注入マニホルドハウジングを含むことができる。少なくとも１つの流体入力ポートを注入マニホルドハウジングに設けることができ、少なくとも１つの流体入力ポートは照明医療用チューブと流体接続し、注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光センサを注入マニホルドハウジングに設けることができ、少なくとも１つの光センサは、少なくとも１つの流体入力ポートに接続される照明医療用チューブからの光を受け取るように構成することができる。流体出力ポートは、流体出力チューブと流体接続するように構成することができる。少なくとも１つの光センサは、照明医療用チューブから受け取った光に応答して出力信号を生成することができる。少なくとも１つの注入ポンプを照明医療用チューブと流体接続することができる。少なくとも１つの注入ポンプは、照明医療用チューブから注入マニホルドハウジング内の少なくとも１つの光センサまで伝達される光出力を生成するように構成することができ、少なくとも１つの注入ポンプからの光出力は少なくとも１つのポンプの少なくとも１つの特徴を示す。該システムは、照明医療用チューブによって注入マニホルドハウジングの少なくとも１つの流体入力ポートのそれぞれに接続される複数の注入ポンプのそれぞれを特定するように構成することができると特徴付けられる。
【００２２】
別の実施形態では、医療用チューブ検出および管理用システムは、少なくとも１つの流体チャネルが通る注入マニホルドハウジングを含むことができる。少なくとも１つの流体入力ポートを注入マニホルドハウジングに設けることができ、少なくとも１つの流体入力ポートは照明医療用チューブと流体接続し、注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光パイプを注入マニホルドハウジングに設けることができる。少なくとも１つの光パイプは第１の端部および第２の端部を有し、第１の端部は少なくとも１つの流体入力ポートに光学的に接続することができる。少なくとも１つのレンズを注入マニホルドハウジングに設けることができる。少なくとも１つのレンズは少なくとも１つの光パイプの第２の端部に光学的に接続することができ、注入マニホルドハウジングから外方に少なくとも１つの光パイプからの光を伝送するように構成することができる。少なくとも１つの光センサを注入マニホルドハウジングの外部に配置させることができる。少なくとも１つの光センサは少なくとも１つのレンズからの光を受け取り、流体出力ポートは、流体出力チューブと流体接続するように構成することができる。少なくとも１つの光センサは、照明医療用チューブから受け取った光に応答して出力信号を生成することができる。少なくとも１つの注入ポンプを照明医療用チューブと流体接続することができる。少なくとも１つの注入ポンプは、照明医療用チューブから注入マニホルドハウジングの外部に配置される少なくとも１つの光センサまで伝達される光出力を生成するように構成することができる。少なくとも１つの注入ポンプからの光出力は、少なくとも１つのポンプの少なくとも１つの特徴を示すことができる。該システムは、照明医療用チューブによって注入マニホルドハウジングの少なくとも１つの流体入力ポートのそれぞれに接続される複数の注入ポンプのそれぞれを特定するように構成することができると特徴付けられる。
【００２３】
別の実施形態では、医療用チューブ検出および管理の方法は、医療用チューブ検出および管理用システムを設けることを含むことができる。該システムは、少なくとも１つの流体チャネルが通る注入マニホルドハウジングを含むことができる。少なくとも１つの流体入力ポートを注入マニホルドハウジングに設けることができ、少なくとも１つの流体入力ポートは照明医療用チューブと流体接続し、注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光センサを注入マニホルドハウジングに設けることができる。少なくとも１つの光センサは、少なくとも１つの流体入力ポートに接続される照明医療用チューブからの光を受け取り、それに応答して出力信号を生成するように構成することができる。流体出力ポートは、流体出力チューブと流体接続するように構成することができる。少なくとも１つの注入ポンプを照明医療用チューブと流体接続することができる。少なくとも１つの注入ポンプは、照明医療用チューブから注入マニホルドハウジング内の少なくとも１つの光センサまで伝達される光出力を生成するように構成することができる。少なくとも１つの注入ポンプからの光出力は、少なくとも１つのポンプの少なくとも１つの特徴を示すことができる。少なくとも１つのポンプの少なくとも１つの特徴は、流体出力チューブから患者に送達される薬剤の特定を含むことができる。
【００２４】
別の実施形態では、医療用チューブ検出および管理の方法は、医療用チューブ検出および管理用システムを設けることを含むことができる。該システムは、少なくとも１つの流体チャネルが通る注入マニホルドハウジングを含むことができる。少なくとも１つの流体入力ポートを注入マニホルドハウジングに設けることができ、少なくとも１つの流体入力ポートは照明医療用チューブと流体接続し、注入マニホルドハウジングを通じて少なくとも１つの流体チャネルと流体連通するように構成することができる。流体出力ポートを注入マニホルドハウジングに設けることができ、流体出力ポートは注入マニホルドハウジングを通じて少なくとも１つの流体チャネルと流体連通するように構成することができる。少なくとも１つの光パイプを注入マニホルドハウジングに設けることができる。少なくとも１つの光パイプは第１の端部と第２の端部を有することができ、第１の端部は少なくとも１つの流体入力ポートに光学的に接続することができる。少なくとも１つのレンズを注入マニホルドハウジングに設けることができる。少なくとも１つのレンズは少なくとも１つの光パイプの第２の端部に光学的に接続することができ、注入マニホルドハウジングから外方に少なくとも１つの光パイプからの光を伝送するように構成することができる。少なくとも１つの光センサを注入マニホルドハウジングの外部に配置させることができる。少なくとも１つの光センサは少なくとも１つのレンズからの光を受け取り、それに応答して出力信号を生成するように構成することができる。流体出力ポートは流体出力チューブと流体接続するように構成することができる。少なくとも１つの注入ポンプを照明医療用チューブと流体接続することができる。少なくとも１つの注入ポンプは、照明医療用チューブから注入マニホルドハウジングの外部に配置される少なくとも１つの光センサまで伝達される光出力を生成するように構成することができる。少なくとも１つの注入ポンプからの光出力は、少なくとも１つのポンプの少なくとも１つの特徴を示すことができる。少なくとも１つのポンプの少なくとも１つの特徴は、流体出力チューブから患者に送達される薬剤の特定を含むことができる。
【００２５】
上記の本発明の主題の概要は、それぞれの例示の実施形態またはそれらのあらゆる実施態様を記載することを目的としていない。以下の図面と詳細な説明はこれらの実施形態をより具体的に例示するものである。
【図面の簡単な説明】
【００２６】
本発明の主題は、添付図面と関連して以下の各種実施形態の詳細な説明を考慮することでより完全に理解することができる。
【図１Ａ】一実施形態に係るチューブセットシステムのブロック図である。
【図１Ｂ】一実施形態に係るチューブセットシステムのブロック図である。
【図１Ｃ】一実施形態に係るチューブセットシステムのブロック図である。
【図２】一実施形態に係るチューブセットシステムのブロック図である。
【図３】一実施形態に係る二重内腔チューブセットの斜視図である。
【図４】一実施形態に係る内側内腔と外側内腔とを利用するチューブセットの斜視図である。
【図５】一実施形態に係るエレクトロルミネセント（ＥＬ）ワイヤを利用するチューブセットの斜視図である。
【図６】一実施形態に係るＥＬワイヤを利用するチューブセットの斜視図である。
【図７】一実施形態に係る内側光学コーティングを利用するチューブセットの斜視図である。
【図８Ａ】一実施形態に係る外側光学コーティングを利用するチューブセットの斜視図である。
【図８Ｂ】一実施形態に係る内側光学コーティングと外側光学コーティングの両方を利用するチューブセットの斜視図である。
【図９】一実施形態に係る発光ダイオード（ＬＥＤ）を利用するチューブセットの斜視図である。
【図１０】一実施形態に係るチューブセットの動作のフローチャートである。
【図１１】医療用チューブ検出および管理用システムの一実施形態を示す図である。
【図１２】医療用チューブ検出および管理用システムの別の実施形態を示す図である。
【００２７】
本発明の主題は各種変形や代替形状に変更可能であり、その詳細を例示のために図面に示し、以下詳細に説明する。しかしながら、本発明は、その主題を記載される特定の実施形態に限定するものではなく、添付の請求項に定義されるような主題の精神と範囲に含まれるすべての変更、等価物、代替物を対象とすると理解すべきである。
【発明を実施するための形態】
【００２８】
実施形態は、チューブの種類および動作状態に関連する特徴の視覚表示を提供する照明医療用チューブセットに関する。実施形態では、単独内腔および二重内腔チューブを使用することができる。二重内腔の一実施形態では、一方の内腔が点灯チャネルとして使用され、他方の内腔は薬剤または流体を輸送するために使用される。別の実施形態では、内側内腔は外側内腔内に入れ子にされることによって、内側内腔が点灯チャネルとして使用され、外側内腔が流体導管として使用されるか、あるいは外側内腔が点灯チャネルとして使用され、内側内腔が流体導管として使用される。別の実施形態では、チューブの単独のチャネルの内面は側方放射材料で光学的に被覆される。このような実施形態では、単独のチャネルが、流体の輸送と光または色の輸送の両方の目的で導管として利用される。別の実施形態では、チューブの単独のチャネルの外面が側方放射材料で光学的に被覆される。別の実施形態では、チューブの単独のチャネルの外面と内面の両方が側方放射材料で光学的に被覆される。さらに別の実施形態では、エレクトロルミネセント（ＥＬ）ワイヤの一部が医療用チューブに接続されて、電流がＥＬワイヤに流れると、ワイヤ、ひいては隣接チューブが照らされる。別の実施形態では、チューブの全長を照らすために、発光ダイオード（ＬＥＤ）がチューブの対向端部またはチューブに沿って配置される。他の実施形態では、これらおよびその他の構成要素の様々なその他の組み合わせと構造を実施することができる。
【００２９】
実施形態は、医療用注入チューブを特定し組織化し、対応するチューブセットおよび薬剤注入ルートを特定し、患者に送達される薬剤の許容可能な適合性と所望の相互作用を判定する比較的簡易で効率的な方法を提供することができる医療用チューブ検出および管理のシステムおよび方法に関する。
【００３０】
図１Ａ〜１Ｃは実施形態に係る照明チューブセットシステム１００のブロック図である。照明チューブセットシステム１００の実施形態は概して、光学素子１０２、流体導管１０４、電源１１０を備える。照明チューブセット１００の例示の実施形態を以下説明する。概して、電源１１０は光学素子１０２とインタフェースをとり、光学素子１０２はチューブセット１００を照らすように構成される。任意で、別の実施形態では図２に示すように、照明チューブセット１５０が圧力センサ１０６とマイクロコントローラ１０８をさらに備えることができる。他の実施形態では、チューブ、流体、または周囲環境のその他の特徴を監視するため、追加のセンサを含めることができる。たとえば、閉塞センサ、温度センサ、流センサ、液体濃度センサ、気泡センサ、塩分センサ、ｐＨセンサ、溶存酸素センサ、伝導度センサ、電解質センサ、またはそれらの任意の組み合わせを実施形態に含めることができる。
【００３１】
別の実施形態（図示せず）では、照明チューブセット１５０は、マイクロコントローラ１０８を含めずに、光学素子１０２、流体導管１０４、電源１１０、１つまたはそれ以上のセンサを備えることができる。さらに、１つまたはそれ以上のセンサは、たとえば、圧力センサ、閉塞センサ、温度センサ、流センサ、液体濃度センサ、気泡センサ、塩分センサ、ｐＨセンサ、溶存酸素センサ、伝導度センサ、電解質センサ、またはそれらの任意の組み合わせを備えることができる。マイクロコントローラ１０８を含まない実施形態では、集積回チャネル（ＩＣ）またはその他の汎用チップを任意で含めることができる。ＩＣは、電子信号を介して情報を装置インタフェース１１２に提供するように構成される。一実施形態では、ＩＣは、部品番号、ロット番号、または使用期限などの情報の特定を提供することができる。
【００３２】
再度図１Ａを参照すると、光学素子１０２は、チューブセット１００用の照明視覚インジケータを提供する。実施形態では、光学素子１０２は、たとえば図１Ｃに示すようにチューブセット１００の全長に沿って長さ方向に連続的に延びる。したがって、実施形態の視覚インジケータは、電源１１０へのインタフェースと同様にチューブセット１００の中間点でもほぼ同じくらい明るく照明することができる。たとえば、一実施形態では、光学素子１０２は、チューブセット１００の全長に延在する側方放射光学コーティングとレーザまたはその他の集束光源などの光生成素子とを備える。このような実施形態では、電源１１０は、側方放射光学コーティングに沿って光を導く光生成素子に電力を供給する。光はチューブセット１００の全長に沿って反射され、チューブセット１００を照らす。光学コーティングは、プラスチックまたはシリコーン基板に適した接着性アクリレイトベースの被覆液または任意のその他のコーティングを備えることができる。一実施形態では、光学素子１０２用の光路は流体導管１０４と共押出される。別の実施形態では、光学素子１０２はチューブセット１００の全長に延びる照明ＥＬワイヤを備える。別の実施形態では、光学素子１０２はチューブセット１００にそって別々の箇所に配置され、たとえば、多色ＬＥＤなどの１つまたはそれ以上の照明可能なＬＥＤを備える。このような実施形態では、電源１１０は特定の照明箇所、たとえば図１Ｂに示されるように電源１１０とのインタフェース箇所で別々の光またはインジケータ素子に電力を供給する。より多い、およびより少ない照明箇所も考えられる。たとえば、光学素子１０２の箇所は、電源１１０とのインタフェースおよび患者接触部位の近傍にすることができる。別の例では、照明箇所は電源１１０とのインタフェース、チューブセット１００の中間点、注入または患者接触部位の近傍にすることができる。
【００３３】
光学素子１０２は、白色または着色光を提供する、光を提供しない、あるいは１つまたはそれ以上の点灯および／または非点灯環境間を選択的に交代させるように構成することができる。さらに、光学素子１０２は、様々な輝度を提供することができる。状況によっては、患者の部屋が夜間に暗くされたときなど、光学素子１０２の輝度を低くすることができる。光学素子１０２の光度を低減した光でも暗くした周囲光では容易に見分けられ、患者を邪魔しない程度に明るい。逆に、日中など周囲光が明るいとき、たとえば、光学素子１０２の輝度を高めてチューブセット１００を見易くすることができる。また、光学素子１０２は、点滅光またはパターン光を提供するように構成することができる。このような点滅光またはパターン光の例を以下に述べる。他の実施形態では、化学ルミネセント流体などの追加の光学素子を含めることができる。
【００３４】
流体導管１０４は救命救急環境で流体を移送するのに使用される。たとえば、流体導管１０４は注入ポンプから患者へ薬物を移送することができる。もしくは、流体導管１０４は患者から流体を除去するための搬送を提供することができる。流体導管１０４は概して、流体が医療用途にとって適切に流れるような幅のシリンダを備える。よって、流体導管１０４は各種実施形態で様々なサイズの径を有することができる。たとえば、約０．０１５インチ〜約３．０インチの径を有する流体導管１０４が企図される。他の径も検討される。流体導管１０４は通常、医療環境に適した可撓性シリコンプラスチック製であるため、無臭、無味、不活性である。さらに、流体導管１０４は身体組織と流体に反応せず、反復的な殺菌に耐え得る。ポリ塩化ビニルまたは任意のその他の適切な熱可塑性ポリマーなどの他の適切な材料も企図される。流体導管１０４は、医療用途に応じて長を変動させることもできる。実施形態では、流体導管１０４は医療用流体と光学素子１０２用ハウジングの両方を搬送することができる。通常、流体導管１０４は透き通っている、または透明であるため、流体導管１０４を流れる流体はシリンダの壁から可視である。しかしながら、他の実施形態では、流体導管１０４は部分的または全体的に半透明または不透明とすることができる。
【００３５】
電源１１０は光学素子１０２用の電力源を提供する。実施形態では、電源１１０は、チューブセット１００がインタフェースをとる医療装置と一体化させることができる。他の実施形態では、電源１１０は流体導管１０４の本体またはチューブセット１００自体の他の部分内に一体化させることができる。電源１１０は、光学素子１０２の特定の実施形態に必要な電力を生成および伝達する。たとえば、電源１１０はバッテリとすることができる。別の例では、電源１１０は医療装置の電源との電気接続である。
【００３６】
たとえば、光学素子１０２が光生成素子と光を反射できる側方放射光学コーティングとを備える実施形態では、電源１１０は光生成素子に電力を供給するバッテリである。集束光ビームは、光生成素子によって光学コーティングの導管の側面に適切に導かれ、チューブセット１００を照らす。別の実施形態では、電源１１０は交流源を備え、光学素子１０２はたとえば、ある長さのＥＬワイヤを備える。交流がＥＬワイヤに印加されて、ワイヤ、導管、ハウジング光学素子１０２、よって、チューブセット１００を照らす。別の実施形態では、電源１１０はＬＥＤに電力を供給するように設計された電圧源を含み、光学素子１０２はＬＥＤを備える。上記電源は単に例として設けられ、電源１１０を限定するものではない。任意の適切な電源を使用することができる。たとえば、実施形態では、直流、バッテリ、光電気、線形調整切換モード電源、または任意のその他の有用な電源を利用することができる。
【００３７】
実施形態では、図２を参照すると、チューブセット１５０は圧力センサ１０６をさらに備えることができる。圧力センサ１０６は、流体導管１０４内の流体の圧力を監視するのに使用される。圧力を測定することによって、流体導管１０４内の流体流に関して緊急または警告可能な状況を検出することができる。実施形態（図示せず）では、チューブセットは任意の有用なセンサ、たとえば、閉塞センサ、温度センサ、流センサ、液体濃度センサ、気泡センサ、塩分センサ、ｐＨセンサ、溶存酸素センサ、伝導度センサ、電解質センサ、または任意の組み合わせを備えることができる。圧力センサ１０６の上述のモニタリングと同様、上述のセンサも各自のセンサの詳細に応じて、流体導管１０４を監視し、緊急または警告可能な状況を中継することができる。
【００３８】
実施形態では、チューブセット１５０はマイクロコントローラ１０８をさらに備えることができる。マイクロコントローラ１０８は、圧力センサ１０６によって感知される圧力を捕捉するのに使用される。圧力変化に関するアルゴリズムはマイクロコントローラ１０８にプログラミングすることができる。１例では、測定された圧力が特定の範囲外である、あるいは測定されたデルタが予め測定された許容可能な値の制限外である場合、警告状況が存在しうる。さらに、マイクロコントローラ１０８は電源１１０を制御するインタフェースを提供する。このようにして、各種着色光または点滅パターンを実現することができる。上述の警告状況では、マイクロコントローラ１０８は、非標準動作状態を示すべきであると電源１１０に信号で伝えることができる。この枠組みを前提とし、チューブセットの動作状態を警告し提示する多数のアルゴリズムを実現することができる。いくつかの例を以下に述べる。
【００３９】
装置インタフェース１１２は、基本動作、警告インジケータ（適切な限界を含む）、色、その他の動作パラメータをマイクロコントローラ１０８にプログラミングするインタフェースを提供することができる。一実施形態では、装置インタフェース１１２は注入ポンプなどの医療装置の一部として実装される。別の実施形態では、装置インタフェース１１２はチューブセット１５０の独立型部品として実装される。
【００４０】
装置インタフェース１１２は、標準化動作パラメータをマイクロコントローラ１０８に提供するように構成することができる。標準化プロファイルまたは標準化動作、警告表示、色、その他の動作パラメータを有する構造を、特定の病院現場の医療装置毎に実装することができる。医療装置の種類はそれぞれ、装置に特有の動作パラメータを有する特定のプロファイルを備えることができる。同様に、特定のセンサまたはセンサセットを有して実装される各チューブセットに対して特定のプロファイルを開発することができる。装置インタフェース１１２はこれらのプロファイルをインストールすることによって、医療装置の使用前に動作環境を調節することができる。たとえば、特定の病院は、すべての閉塞圧力の警告を標準化してチューブセット１５０を赤色で点滅させることができる。このような構成により、病院現場全体を均一化し、医療専門家にかかる負担をさらに軽減し、チューブセット１５０の使用価値を高めることができる。その特定の病院現場では、全医療専門家が、赤く点滅するチューブセットが閉塞問題を示すと分かっている。
【００４１】
図３は、二重内腔チューブセット３００の一実施形態を示す。二重内腔チューブセット３００は概して、光学インタフェース３０２と流体導管３０４を備える。光学インタフェース３０２はたとえば、光学インタフェース１０２を参照して説明したように、光ファイバチャネル、チャネルを通じて延びる、ある長さのＥＬワイヤ、またはチャネルに沿って配置される一連のＬＥＤとすることができる。光学インタフェース３０２と流体導管３０４は一実施形態では相互に隣接しているため、光学インタフェース３０２が照らされると流体導管３０４も照らされる。
【００４２】
図４は、二重内腔チューブセット４００の一実施形態を示す。二重内腔チューブセット４００は概して内側内腔４０２と外側内腔４０４を備える。内側内腔４０２は外側内腔４０４に入れ子式になっているため、外側内腔４０４によって完全に包囲される。一実施形態では、内側内腔４０２は流体導管を提供し、外側内腔４０４は二重内腔チューブセット４００用の光学インタフェースのためのハウジングを提供する。十分に透き通ったまたは透明な内腔を用いて照らされる場合、外側内腔４０４の光学素子は内側内腔４０２とそこを流れる流体を照らす。別の実施形態では、内側内腔４０２は光学インタフェース用のハウジングを提供し、外側内腔４０４は二重内腔チューブセット４００用の流体導管を提供する。照らされると、内側内腔４０２の光学素子は外側内腔４０４とそこを流れる流体を照らす。実施形態では、光学インタフェースは、光学インタフェース１０２を参照して上述したように、光ファイバチャネル、チャネルを通って延在する、ある長さのＥＬワイヤ、またはチャネルに沿って配置される一連のＬＥＤとすることができる。他の入れ子式実施形態（図示せず）では、追加の内腔が最も内側の内腔全体を延在し、医療用途に応じて複数の流体がそこを流れる。流体導管としてどの内腔が選択されても、残りの流体導管内腔を照らすことができる。
【００４３】
図５は、ＥＬワイヤを使用するチューブセット５００の一実施形態を示す。
チューブセット５００は概して光学素子５０２と流体導管５０４を備える。このような実施形態では、光学素子５０２はある長さのＥＬワイヤである。光学素子５０２は周囲を囲まれて、十字パターンで流体導管５０４の外壁に接続される。同様に、図６は、ＥＬワイヤを使用するチューブセット６００の別の実施形態を示す。チューブセット６００は概して光学素子６０２と流体導管６０４を備える。ここでも、このような実施形態では、光学素子６０２はある長さのＥＬワイヤである。光学素子６０２は、外壁の片側に沿って流体導管６０４の外壁に接続される。光学素子５０２または光学素子６０２が照らされると、各自の流体導管５０４または６０４も同様に照らされる。動作時、光学素子５０２または６０２、ひいては流体導管５０４または６０４を照らすため、交流が光学素子５０２または６０２のＥＬワイヤの一端に印加される。
【００４４】
図７は、側方放射光学コーティングを備えるチューブセット７００の一実施形態を示す。チューブセット７００は概して光学素子７０２と流体導管７０４を備える。このような実施形態では、光学素子７０２は側方放射光学コーティングと光生成素子を備える。光学素子７０２の側方放射コーティングは流体導管７０４の内壁に沿って被覆される。光生成素子と光学コーティングの組み合わせは、光が流体導管７０４の被覆壁に沿って光生成素子によって導かれるときに照明流体導管７０４を提供する。したがって、チューブセット７００は単独の導管を有し、流体導管７０４は医療用流体と光学素子用ハウジングの両方の搬送を提供する。
【００４５】
同様に、図８Ａは、光学コーティングも備えるチューブセット８００の一実施形態を示す。チューブセット８００は概して、光学素子８０２と流体導管８０４を備える。チューブセット７００と同様、光学素子８０２は側方放射光学コーティングと光生成素子とを備える。しかしながら、チューブセット７００と異なり、チューブセット８００は流体導管８０４の外壁に沿って光学コーティングを有する。
【００４６】
動作時、流体導管７０４または８０４を照らすため、集束光ビームが光学素子７０２または８０２の光生成素子によって流体導管７０４または８０４の一端で適切に方向付けられて、光が流体導管７０４または８０４の被覆側面に沿ってそれぞれ反射する。
【００４７】
図８Ｂは、光学コーティングも備えるチューブセット８５０の一実施形態を示す。チューブセット８５０はチューブセット７００とチューブセット８００の組み合わせである。チューブセット８５０は概して内側光学素子７０２と外側光学素子８０２を備え、光学素子７０２および８０２はどちらも側方放射材料のコーティングを備えるため、チューブ壁の内側と外側の両方および流体導管８５４に光学コーティングがなされる。チューブセット８５０では、チューブ壁自体が光路を備える。
【００４８】
動作時、流体導管８５４を照らすため、集束光ビームが光学素子７０２または８０２の光生成素子によって流体導管８５４の壁内に適切に方向付けられて、光が流体導管８５４の被覆側面内で反射する。光が光生成素子によって流体導管８５４の壁内に導かれるとき、光生成素子と２つの光学コーティングの組み合わせが照明流体導管８５４を提供する。
【００４９】
図９は、１つまたはそれ以上のＬＥＤを有するチューブセット９００の一実施形態を示す。チューブセット９００は概して光学素子９０２と流体導管９０４を備える。このような実施形態では、光学素子９０２は少なくとも１つのＬＥＤを備える。図示されるように、光学素子９０２は流体導管９０４の開口部近傍に配置されるが、他の実施形態ではその他の位置、構造、配置も可能である。適宜、追加の光学素子９０２を流体導管９０４に配置して、光学素子９０２が照らされるときに流体導管９０４の安定した照明を提供する。動作時、光学素子９０２を照らすため、電圧がＬＥＤに印加されることによってＬＥＤと流体導管９０４を照らす。
【００５０】
動作時、図１０を参照すると、チューブセットが１００２で設置される。実施形態および用途に応じて、設置は、チューブセットの一端を医療装置に、他端を患者に確実に接続する、あるいは患者からゴミ捕捉装置へのドレインとして、など任意に変形することができる。流体導管１０４は流体源に適切に接続される。さらに、光学素子１０２および電源１１０は要求されれば適宜接続することができる。たとえば、ある設置では、注入ポンプを注入部位で患者に接続することができる。注入ポンプは、チューブ自体の光学素子１０２に動作可能に接続可能な一体化電源１１０を有することができる。別の設置では、チューブ自体が、供給装置を含まず電源１１０を含む供給部位で患者に接続される供給装置とすることができる。正確な設置後、チューブセットは既知のパターンまたはシーケンスを照らす、あるいは点滅して、正確な設置を示す。
【００５１】
１００４で、動作パラメータが設定される。様々な接続センサに対するチューブの色、照明強度、警告限界と、その他の動作パラメータとが装置インタフェース１１２を介してマイクロコントローラ１０８にプログラミングすることができる。いくつかの実施形態では、動作パラメータが、チューブセットの設置時に自動的に設定される。たとえば、医療業界における色およびパターンの標準化のため、標準的な色またはパターンを要する特定の装置に接続されるチューブセットはいずれも、装置インタフェース１１２を介して装置によって自動的にプログラミングされ、追加の人的介入なしに、用途に関する標準化照明、標準化制限、標準化強度をマイクロコントローラ１０８に設定する。医療専門家が異なる色スキーム制限または強度を要望する場合、医療装置上に、あるいは別個のインタフェースとして配置できる装置インタフェース１１２を利用して、マイクロコントローラ１０８をプログラミングすることができる。
【００５２】
１００６で、チューブ特徴の最初のセットが感知される。図２に示すように圧力センサ１０６がチューブセット実施形態に存在する場合、チューブの圧力が感知される。さらに、またはもしくは、任意の追加センサは上述するように、センサ表示を捕捉するように始動される。１００８で、動作限界が確認される。１００８での判定点を利用して、チューブ動作が設定限界ないにあることを確かめる。この種の限界または範囲の確認は、すべての装着センサに対して、あるいは所望すれば全装着センサよりも少ないセンサに対して実行される。たとえば、圧力センサ１０６によって感知される圧力が予測限界に収まる場合、１０１０で通常動作が実行される。通常動作１０１０は、所望のプログラミングされた光度での連続照明、あるいは無照明を含むことができる。しかしながら、圧力センサ１０６によって感知される圧力が予測限界外にある場合、警告動作１０１２が実行される。警告動作１０１２はチューブセットの何らかの種類の問題を示す点滅またはパターン照明、たとえば圧力または閉塞の問題を示す高速な点滅、温度の問題を示す低速な点滅を含むことができる。別の例では、３回の高速点滅後の無照明の休止パターンは、不適切に接続されたチューブセットを示すことができる。さらに別の例では、１回の短時間点滅後の長時間点滅はマイクロコントローラ１０８の故障を示すことができる。状態を示すために任意の数の点滅またはパターン化点滅を実行することができる。さらに、装着された医療装置は、装置インタフェース１１２を介した医療装置の状態を示すためにチューブセットの照明機能を利用することができる。
【００５３】
通常動作１０１０または警告動作１０１２のいずれの場合にも、電源１１０は光学素子１０２とインタフェースをとり、光学素子１０２およびチューブセットを照らす。チューブセットが通常動作中であるとき、１０１０での通常動作から１００６でのチューブ特徴の感知までの再帰ループを、リアルタイムで、あるいは標準またはプログラムされた待機期間の終了時に実行することができる。さらに、動作時、動作パラメータのいずれも、チューブセットの使用中に調節することができる。
【００５４】
図１１を参照すると、医療用チューブ検出および管理用システム１１００は、少なくとも１つの流体チャネル１１２０が通る注入マニホルドハウジング１１１０を含むことができる。少なくとも１つの流体入力ポート１１３０を注入マニホルドハウジング１１１０に設けることができる。各入力ポート１１３０は照明医療用チューブＩＴと流体接続し、注入マニホルドハウジング１１１０を通じて流体チャネル１１２０と流体連通するように構成することができる。本文書全体で使用されるように、「照明医療用チューブ」という用語は、例として上述される、あるいは本文書で他に企図される注入ポンプ、物質送達システム、物質除去システムなどと共に使用される任意の適切な照明またはそれ以外に光学的に特定可能な医療用チューブまたはラインを含む。流体出力ポート１１４０を注入マニホルドハウジング１１１０に設け、注入マニホルドハウジング１１１０を通じて流体チャネル１１２０と流体連通するように構成することができる。流体出力ポート１１４０は流体出力チューブＯＴと流体接続するように構成することもできる。本文書全体で使用されるように、「流体接続」および「流体連通」という節は、意図される経路および位置を通る、またはそれらの間の流体の移動を良好に促進させる、接続、導管、または輸送手段をさすことを目的とする。少なくとも１つの光センサ１１５０を注入マニホルドハウジング１１１０に設けることができる。本文書全体で使用されるように、「光センサ」という用語は、たとえば、光センサや光検出器など、光またはその他の電磁エネルギーを感知または検出することのできる任意の適切な装置を含む。各光センサ１１５０は、（次に、各光センサ１１５０と関連付けられる）各流体入力ポート１１３０と接続される照明医療用チューブＩＴから光を受け取るように構成することができる。各光センサ１１５０は、照明医療用チューブＩＴから受け取る光に応答して出力信号（図示せず）を生成することができる。このような出力信号は上述したように注入セットまたは薬剤適合性検証を組織化するため、たとえば、任意の適切な信号処理または送信技術（たとえば、無線送信機および受信機）によってコンピュータまたはその他の表示手段に送信することができる。少なくとも１つの注入ポンプ（図示せず）は照明医療用チューブＩＴに流体接続することができると認識および理解されるべきである。このようなシステム１１００の適用において、各注入ポンプは、そのポンプと関連付けられる照明医療用チューブＩＴからハウジング１１１０内の各自の光センサ１１５０まで伝達される光出力（図示せず）を生成するように構成することができる。各注入ポンプからの光出力は、後述するようにポンプの少なくとも１つの特徴を示すことができる。
【００５５】
次に図１２を参照すると、医療用チューブ検出および管理用システム１２００は、少なくとも１つの流体チャネル１２２０が通る注入マニホルドハウジング１２１０を含むことができる。少なくとも１つの流体入力ポート１２３０を注入マニホルドハウジング１２１０に設けることができる。各入力ポート１２３０は、照明医療用チューブＩＴと流体接続し、注入マニホルドハウジング１２１０を通り流体チャネル１２２０と流体連通するように構成することができる。流体出力ポート１２４０を注入マニホルドハウジング１２１０に設け、注入マニホルドハウジング１２１０を通り流体チャネル１２２０と流体連通するように構成することができる。流体出力ポート１２４０は、流体出力チューブＯＴと流体接続するように構成することもできる。少なくとも１つの光パイプ１２６０を注入マニホルドハウジング１２１０に設けることができる。本文書全体で使用されるように、「光パイプ」という用語は、意図される経路および位置を通って、あるいはそれらの間で光を伝達または透過させる任意の適切な手段または装置を含むことを目的とする。各光パイプ１２６０は第１の端部１２６２および第２の端部１２６４を有することができる。第１の端部１２６２は各流体入力ポート１２３０に光学的に接続することができる。本文書全体で使用されるように、「光学的に接続」という用語は、意図される経路および位置を通る、またはそれらの間の光の伝送を良好に促進させる、接続、導管、または輸送手段をさすことを目的とする。少なくとも１つのレンズ１２７０を注入マニホルドハウジング１２１０に含めることができる。各レンズ１２７０は各光パイプ１２６０の第２の端部１２６４に光学的に接続し、注入マニホルドハウジング１２１０から外方へ各光パイプ１２６０からの光を伝送するように構成することができる。少なくとも１つの光センサ１２５０を注入マニホルドハウジング１２１０の外部に設けることができる。これに関して、マニホルドハウジング１２１０とそれに関連する上述の部品は単独の使用または単独の患者での使用のために使い捨てにすることができる一方、おそらくより高額な光センサ１２５０は使い捨てハウジング１２１０と分離させて再利用することができると認識および理解されるべきである。よって、一実施形態では、図示しないが、光センサ１２５０はポンプラック装置の一部としてセンサハウジング内に含めることができる、あるいは。たとえば、静脈内装置またはベッドサイドのユーティリティポールに設けることができる。特定の実施形態に関係なく、概して、各光センサ１２５０は、各レンズ１２７０と（次に、各光パイプ１２６０と関連付けられる）各流体入力ポート１２３０に接続される照明医療用チューブＩＴとからの光を受け取るように構成することができる。各光センサ１２５０は、照明医療用チューブＩＴから受け取った光に応答して出力信号（図示せず）を生成することができる。このような出力信号は、上述したように注入セットまたは薬剤適合性検証を組織化するため、任意の適切な信号処理または送信技術（たとえば、無線送信機および受信機）によってコンピュータまたはその他の表示手段に送信することができる。少なくとも１つの注入ポンプ（図示せず）が照明医療用チューブＩＴに流体接続することができると認識し理解されるべきである。このようなシステム１２００の適用においては、各注入ポンプは、該ポンプに関連付けられる照明医療用チューブＩＴからハウジング１２１０の外部に配置される各自の光センサ１２５０まで伝送される光出力（図示せず）を生成するように構成することができる。各注入ポンプからの光出力は、次に後述するようにポンプの少なくとも１つの特徴を示すことができる。
【００５６】
図１１および１２の両方を参照すると、コンピュータまたは上述したようなその他の表示手段に送信することのできる各光センサ１１５０または１２５０からの出力信号は、注入セットを組織化し、システム１１００または１２００を使用する医師に薬剤適合性検証を提供する比較的簡易で効率的な方法を提供できると認識および理解されるべきである。具体的には、センサ１１５０または１２５０から受け取られる注入ポンプからの光は、たとえば、患者に送達される薬剤または患者への「注入ルート」の特定など、各ポンプの少なくとも１つの特徴を示すことができる。たとえば，特定のシステム１１００または１２００は「硬膜外のみ」と指定することができる。静脈内薬剤用のポンプがシステム１１００または１２００に誤って接続されている場合、不適合または有害な薬剤が患者に送達される前に警告信号を各センサ１１５０または１２５０から生成することができる。
【００５７】
医療用チューブ検出および管理方法の例は、たとえば、図１１に示されるような医療用チューブ検出および管理用システムを設けるステップを含むことができる。システムは、少なくとも１つの流体チャネルが通る注入マニホルドハウジングを含むことができる。少なくとも１つの流体入力ポートを注入マニホルドハウジングに設け、照明医療用チューブと流体接続し、注入マニホルドハウジングの各流体チャネルと流体連通するように構成することができる。流体出力ポートは注入マニホルドハウジング内に設け、注入マニホルドハウジングの各流体チャネルと流体連通し、流体出力チューブと流体接続するように構成することができる。少なくとも１つの光センサを注入マニホルドハウジングに設けることができる。各光センサは、各流体入力ポートに接続される照明医療用チューブから光を受け取り、それに応答して出力信号を生成するように構成することができる。この方法例は、少なくとも１つの注入ポンプを照明医療用チューブに流体接続するステップも含むことができる。各注入ポンプは、照明医療用チューブから注入マニホルドハウジング内の各自の光センサまで伝送される光出力を生成するように構成することができる。各注入ポンプからの光出力は、各ポンプの少なくとも１つの特徴を示すことができる。各ポンプ特徴は、たとえば、流体出力チューブから患者に送達される薬剤の特定を含むことができる。
【００５８】
医療用チューブ検出および管理方法の別の例は、たとえば図１２に示すような医療用チューブ検出および管理用システムを提供するステップを含むことができる。該システムは、少なくとも１つの流体チャネルが通る注入マニホルドハウジングを含むことができる。少なくとも１つの流体入力ポートを注入マニホルドハウジングに設け、照明医療用チューブと流体接続し、注入マニホルドハウジング内の各流体チャネルと流体連通するように構成することができる。流体出力ポートを注入マニホルドハウジングに設け、注入マニホルドハウジング内の各流体チャネルと流体連通し、流体出力チューブと流体接続するように構成することができる。第１の端部および第２の端部を有する少なくとも１つの光パイプを注入マニホルドハウジングに設けることができる。各光パイプの第１の端部は各流体入力ポートに光学的に接続することができる。少なくとも１つのレンズも注入マニホルドハウジングに設けることができる。各レンズは各光パイプの第２の端部に光学的に接続し、注入マニホルドハウジングから外方へ各光パイプから光を伝送するように構成することができる。少なくとも１つの光センサを注入マニホルドハウジングの外部に配置させることができる。各光センサは各レンズから光を受け取り、それに応答して出力信号を生成するように構成することができる。この方法例は、少なくとも１つの注入ポンプを照明医療用チューブに流体接続するステップも含むことができる。各注入ポンプは、照明医療用チューブから注入マニホルドハウジングの外部に配置される各自の光センサまで各自の光パイプとレンズを介して伝達される光出力を生成するように構成することができる。各注入ポンプからの光出力は、各ポンプの少なくとも１つの特徴を示すことができる。各ポンプ特徴は、流体出力チューブから患者に送達される薬剤の特定を含むことができる。
【００５９】
特定の実施形態に関係なく、医療用チューブ検出および管理のシステムおよび方法は、例として説明される、あるいは本文書で他に企図されるように、照明医療用チューブによって注入マニホルドハウジングの各流体入力ポートに接続される複数の注入ポンプをそれぞれ特定するように構成することができると特徴付けられると認識および理解されるべきである。該システムおよび方法は、本文書に記載するように、あるいは上述の関連出願である米国出願第１３／２９６，８８３号または米国出願第１３／４９５，７８０号に開示されるように、照明医療用チューブの種類および動作状態に関連する特徴の視覚表示の組織化と通信をさらに簡易化することができると認識および理解されるべきである。
【００６０】
図１１または１２には具体的に示されないが、照明医療用チューブの上述の実施形態（たとえば、本文書に記載の単独内腔および二重内腔チューブの各種実施形態）は、上述される、あるいは本文書で他に企図されるように、独立して、あるいは医療用チューブ検出および管理のシステムおよび方法と組み合わせて使用することができると認識および理解されるべきである。
【００６１】
さらに、図示していないが、医療用チューブ検出および管理のシステムおよび方法は、上述される、あるいは本文書で他に企図されるように、たとえば、取付具、シール、ルアーロック、止めコックなど、注入セットマニホルドの通常の特性を含むことができると認識および理解されるべきである。また、医療用チューブ検出および管理のシステムおよび方法は、上述される、あるいは本文書で他に企図されるように、チューブ、流体、または周囲環境の特徴を監視する任意の所望のセンサ（たとえば、上述の圧力センサ、閉塞センサ、流体流センサ、温度センサ、液体濃度センサ、気泡センサ、塩分センサ、ｐＨセンサ、溶存酸素センサ、伝導度センサ、電解質センサ）を独立して、または任意の所望の組み合わせで含むことができる。
【００６２】
図１１および１２では４つのチューブ入力を有する実施形態が示されているが、医療用チューブ検出および管理のシステムおよび方法は、上述される、あるいは本文書で他に企図されるように、上記システムおよび方法が上述されたような機能を良好に果たすことを前提として、任意の所望の数のチューブ入力を含むことができると認識および理解されるべきである。同様に、任意数の医療用チューブ検出および管理用システムは、たとえば、危篤状態の患者の治療にとって極めて重要であり得る比較的多数の注入ラインの容易なかつ特定可能な組織化を維持するために所望されるように、特定の治療環境で採用することができる。
【００６３】
また、医療用チューブ検出および管理のシステムおよび方法のチューブ出力は、上述される、あるいは本文書で他に企図されるように、特定の治療環境で所望されるように、たとえば、照明医療用チューブ上記の照明または色スキーム技術のいずれかによって視覚的に特定可能とすることができると認識および理解されるべきである。
【００６４】
システム、装置、方法の各種実施形態を本文書で説明した。これらの実施形態は単に例示のために提示されており、主題の範囲を限定することを目的としていない。また、上述の実施形態の各種特徴を様々に組み合わせて多数の追加の実施形態を生成できると認識されるべきである。さらに、開示される実施形態で使用される各種材料、寸法、形状、構造、位置などについて説明したが、主題の範囲を超えずに開示された以外の材料、寸法、形状、構造、位置なども使用することができる。
【００６５】
当業者であれば、本発明の主題は、上述の個々の実施形態で示されるよりも少ない特徴を備えることができると認識するであろう。本願に記載の実施形態は、本発明の主題の各種特徴の組み合わせを網羅することを目的としていない。したがって、実施形態は排他的な特徴の組み合わせではなく、本発明の主題は、当業者によって理解されるように、様々な個々の実施形態から選択される様々な個々の特徴の組み合わせを含むことができる。
【００６６】
上記文書の言及による組込みは、主題が本願の明示的な開示に反しないように制限される。さらに、上記文書の言及による組込みは、文書に含まれる請求項が本願に言及により組み込まれないように制限される。さらに、上記文書の言及による組込みは、文書で提供される定義が本願に明示的に含まれない限り、言及によって組み込まれないようにさらに制限される。
【００６７】
本発明の主題に関して請求項を解釈するために、「手段」または「ステップ」という特定の用語が請求項で使用されない限り、米国特許法第１１２条、３５条項の第６パラグラフが発動されない。
【図１Ｂ】
2014533192.tif 000003
【図１Ｃ】
2014533192.tif 000004
【図３】
2014533192.tif 000005
【図４】
2014533192.tif 000006
【図５】
2014533192.tif 000007
【図６】
2014533192.tif 000008
【図７】
2014533192.tif 000009
【図８Ａ】
2014533192.tif 000010
【図８Ｂ】
2014533192.tif 000011
【図９】
2014533192.tif 000012
【図１Ａ】
2014533192.tif 000013
【図２】
2014533192.tif 000014
【図１０】
2014533192.tif 000015
【図１１】
2014533192.tif 000016
【図１２】
2014533192.tif 000017
【手続補正書】
【提出日】平成26年8月18日(2014.8.18)
【手続補正１】
【補正対象書類名】特許請求の範囲
【補正対象項目名】全文
【補正方法】変更
【補正の内容】
【特許請求の範囲】
【請求項１】
医療用流体を搬送する流体導管と、
前記流体導管に接続され、照明を提供する光学素子と、
前記光学素子に電力を供給する電源と、
を備える医療用チューブセット。
【請求項２】
前記光学素子は、光ファイバコーティング、光生成素子、発光ダイオード、及びエレクトロルミネセントワイヤのうちの少なくとも１つである、請求項１に記載の医療用チューブセット。
【請求項３】
前記光学素子が前記流体導管に配置される、請求項１に記載の医療用チューブセット。
【請求項４】
二重内腔チューブをさらに備え、前記流体導管と光学素子が別々の導管に配置される、請求項１に記載の医療用チューブセット。
【請求項５】
前記二重内腔チューブが外側内腔と内側内腔とを有する入れ子式内腔セットをさらに備える、請求項４に記載の医療用チューブセット。
【請求項６】
医療用チューブシステムに関連する少なくとも１つの特徴を感知する少なくとも１つのセンサをさらに備え、前記少なくとも１つのセンサが、圧力センサ、閉塞センサ、温度センサ、流体流センサ、液体濃度センサ、気泡センサ、塩分センサ、ｐＨセンサ、溶存酸素センサ、伝導度センサ、または電解質センサを備える、請求項１に記載の医療用チューブセット。
【請求項７】
装置インタフェースに信号を送信する集積回路をさらに備える、請求項６に記載の医療用チューブセット。
【請求項８】
前記少なくとも１つのセンサから信号を受信するマイクロコントローラをさらに備える、請求項６に記載の医療用チューブセット。
【請求項９】
前記マイクロコントローラをプログラミングするインタフェースをさらに備える、請求項８に記載の医療用チューブセット。
【請求項１０】
前記医療用チューブセットが医療装置に動作可能に接続され、前記インタフェースが前記医療装置を介して動作可能である、請求項８に記載の医療用チューブセット。
【国際調査報告】
2014533192.tif 000018
2014533192.tif 000019
2014533192.tif 000020